(57)【要約】【課題】ごみやほこりなどの異物によって通気が阻害されることがない、新規な構成の幅木構造を提供する。【解決手段】壁に固定される上部幅木材１０と、床に対して取り付けられる下部幅木材２０とからなる幅木構造において、これら上部幅木材と下部幅木材との間に通気のための隙間Ｓが形成される。さらに、この隙間を実質的に覆うようにフィルター４０が設けられる。隙間は床面から高い位置にあるので、ごみやほこりが溜まることがほとんどなく、通気が確保される。万一隙間にごみやほこりが溜まっても、それらが壁内に侵入することをフィルターが阻止する。好ましくは、上記隙間による室内側通気路Ｔは斜め下向きに形成され、隙間を室内側から見えにくくする。下部幅木材は、床に固定される係止金具３０により床に対して着脱可能に取り付けられる。【選択図】図１
2007270444.tif 000002
【特許請求の範囲】
【請求項１】
壁に固定される上部幅木材と床に固定される下部幅木材とから構成される幅木構造において、これら上部幅木材と下部幅木材との間に通気のための隙間が形成されることを特徴とする幅木構造。
【請求項２】
上記隙間を実質的に覆うようにフィルターが設けられることを特徴とする、請求項１記載の幅木構造。
【請求項３】
上記隙間による室内側通気路が斜め下向きに形成されることを特徴とする、請求項１または２記載の幅木構造。
【請求項４】
下部幅木材は係止金具により床に対して着脱可能に固定されることを特徴とする、請求項１ないし３のいずれか記載の幅木構造。
【発明の詳細な説明】
【技術分野】
【０００１】
本発明は、部屋の隅部に設けられる幅木構造に関する。
【背景技術】
【０００２】
下記特許文献１には、釘などの固定具を介して壁に対して固定される上部幅木材と、係止金具を介して床に対して取り付けられる下部幅木材とからなる幅木構造が記載されている。上部幅木材の下方表面側には壁に対する固定具の打ち込み箇所となる凹溝が設けられるとともに、下部幅木材の表面側には上部幅木材の下方部分を被覆し且つ凹溝より高い位置まで突出する上方突起が形成されている。下部幅木材は、床に固定される係止金具によって、床面との間に隙間を形成した状態で床に着脱可能に取り付けられるので、この隙間を利用して通気することができる。
【特許文献１】特開２００４−１５６２４５号公報
【発明の開示】
【発明が解決しようとする課題】
【０００３】
しかしながら、上記特許文献１記載の幅木構造においては、下部幅木材と床面との間に形成される隙間にごみやほこりなどの異物が溜まって、通気を阻害するおそれがあった。
【課題を解決するための手段】
【０００４】
上記課題を解決するため、本発明は、ごみやほこりなどの異物によって通気が阻害されることがない、新規な構成の幅木構造を提供することを目的とする。
【０００５】
この目的を達成するため、請求項１に係る本発明は、壁に固定される上部幅木材と床に固定される下部幅木材とから構成される幅木構造において、これら上部幅木材と下部幅木材との間に通気のための隙間が形成されることを特徴とする。
【０００６】
請求項２に係る本発明は、請求項１記載の幅木構造において、上記隙間を実質的に覆うようにフィルターが設けられることを特徴とする。
【０００７】
請求項３に係る本発明は、請求項１または２記載の幅木構造において、上記隙間による室内側通気路が斜め下向きに形成されることを特徴とする。
【０００８】
請求項４に係る本発明は、請求項１ないし３のいずれか記載の幅木構造において、下部幅木材は係止金具により床に対して着脱可能に固定されることを特徴とする。
【発明の効果】
【０００９】
請求項１に係る本発明によれば、通気のための隙間が、壁に固定される上部幅木材と床に固定される下部幅木材との間に形成され、床面から上方に離れた位置にあるため、床のごみやほこりなどの異物がこの隙間に溜まることがほとんどなく、長期に亘って良好な通気を確保することができる。
【００１０】
請求項２に係る本発明によれば、さらぶ、この隙間の内部またはこの隙間に面してフィルターが設けられるので、異物が室内側から隙間に入り込んだ場合であっても、この異物が壁の内側の通気空間に侵入して堆積することがなく、長期に亘って良好な通気を確保する効果がより顕著に発揮される。
【００１１】
請求項３に係る本発明によれば、この隙間による室内側通気路が斜め下向きに形成されるので、異物が隙間に溜まることをより一層効果的に防止し、且つ、室内側から隙間が見えにくくなるので意匠上も好ましいものとなる。
【００１２】
請求項４に係る本発明によれば、下部幅木材は係止金具により床に対して着脱可能に固定されるので、下部幅木材の取付・取り外し・交換等を自在に行うことができ、且つ、その際の作業も容易である。したがって、たとえば下部幅木材が損傷したり、床板の張り替え・修理等が必要となった場合でも、下部幅木材を取り外して新しいものに交換したり、床板張り替えや修理等の作業後に再度下部幅木材を取り付けることの作業を容易に行うことができ、その際に床板等を傷付けることがない。
【発明を実施するための最良の形態】
【００１３】
図１は本発明の一実施形態による幅木構造を示す断面図、図２はこの幅木構造の施工図、図３はこの幅木構造における係止金具の取付状態を示す斜視図である。
【００１４】
この幅木構造は、上部幅木材１０と、下部幅木材２０と、係止金具３０と、フィルター４０とを有して構成されている。
【００１５】
上部幅木材１０と下部幅木材２０は、いずれも、合板、平行合板（Ｌ．Ｖ．Ｌ）、パーティクルボード、ウェハーボード、フレークボード、ストランドボード、スティックボードなどの木削片板、ＭＤＦなどの木質繊維板、その他の木質材料を材料とすることができる。中でも木質繊維板が好適な材料である。
【００１６】
また、硬質塩化ビニル樹脂、軟質塩化ビニル樹脂、ＡＢＳ樹脂などの各種合成樹脂を成型して得られる合成樹脂板、合成樹脂棒その他の合成樹脂系材料、ステンレス、アルミニウムなどの金属板、金属棒その他の金属系材料などを材料として上部幅木材１０、下部幅木材２０を構成しても良い。これら幅木材１０，２０は同一材料で構成しても良いし、異なる材料の組合せとして構成しても良い。
【００１７】
上部幅木材１０、下部幅木材２０の少なくとも室内側に露出する表面には化粧シート１１，２１が貼着される（図１および図２において点線で示す）。化粧シート１１，２１としては、たとえば、天然木材を切削して得られる天然突板や人工突板、これらに不織布、紙、合成樹脂シートなどの裏打ち材を裏打ちした突板シートなどを用いることができ、また、化粧紙、樹脂含浸紙、不織布、紙、合成樹脂シートなどの化粧シート状物を単独または任意組み合わせて用いても良い。これら化粧材の表面に上塗り層を設けても良い。化粧材に合成樹脂シートを用いる場合は、オレフィン樹脂、塩化ビニル樹脂、ポリエステル樹脂、アクリル樹脂などの合成樹脂シートを用いることができる。あるいは、化粧シート貼着に代えて、上部幅木材１０と下部幅木材２０の表面に直接印刷、塗装などによる化粧を施しても良い。
【００１８】
上部幅木材１０は幅方向に長い長尺体であり、石膏ボードなどの内壁材１に対して接着剤（図示せず）とフィニッシュネイルなどの固定具２により固定される。上部幅木材１０の大きさは、一例として、高さ（上端から後述の突起１５先端までの長さ）が３３ｍｍ、厚み（表面から背面までの厚み）が９．４ｍｍである。
【００１９】
上部幅木材１０の表面（室内側の面）において高さ方向略中間には、任意断面形状の溝１２が幅方向に連続して延長するように形成されている。この溝１２は意匠的な意味合いが大きいが、フィニッシュネイルなどの固定具２の打ち込み箇所となる溝を兼ねている。
【００２０】
また、上部幅木材１０の背面（内壁材１に接する面）には凹部１３が形成されている。この凹部１３は幅方向に延長する溝として形成しても、あるいは一ヶ所または数ヶ所に凹設しても良く、いずれにしても、上部幅木材１０の後面に塗布される接着剤の余剰分を収容するための接着剤溜まり空間として働くと同時に、上部幅木材１０を固定する際に、あらかじめ内壁材１の所定高さ位置に釘３を打ち込んでおき、この釘３を凹部１３に引っかけて上部幅木材１０を仮位置決めするためにも用いられる（図２参照）。
【００２１】
上部幅木材１０の背面側下端は、内壁材１に固定されたときに内壁材１の下端面１ｂと略面一に連続する平坦な下面１４とされているが、表面側においては下方に突出して突起１５を形成している。平坦な下面１４からの突起１５の突出量はたとえば３ｍｍである。
【００２２】
下部幅木材２０も幅方向に長い長尺体であり、その長さは上部幅木材１０と略同一である。この実施形態における下部幅木材２０の形状は、表面側に加飾曲面部２２が設けられると共に、背面側の上半部が切り欠かれて後方突起２３が形成され、また、背面側下端部が大きく切り欠かれて係止突起２４が形成されている。後方突起２３の突出量（切り欠き垂直面２５から背面側垂直面２６までの距離）は内壁材１の厚み寸法に略等しくされており、その下面２７は略水平の平坦面である。係止突起２４の背面側は、下面２７と鋭角をなす傾斜面２８とされている。下部幅木材２０の高さ（上端から係止突起２４の下面まで）はたとえば２５ｍｍであり、厚み（表面から後方突起２３の背面側垂直面２６まで）はたとえば２５ｍｍである。
【００２３】
係止金具３０は下部幅木材２０を床に対して着脱可能に固定するためのものであり、下部幅木材２０の幅方向に連続する長尺体として、または図３に示すように間隔を置いて断続的に複数個用いられる。係止金具３０は、下部幅木材２０の係止突起２４の背面側傾斜面２８と係合するべく該背面側傾斜面２８と略同一の傾斜角度で斜行する下部押さえ片３１と、この下部押さえ片３１の下端から背面側に延長する前側水平部３２と、後側水平部３４と、前側水平部３２と後側水平部３４との間に形成されて下部幅木材２０の後方突起２３の下面２７に弾性的に圧接する支持部３３と、後側水平部３４の後端から垂立する垂直片３５と、下部幅木材２０の後方突起２３の上面２９と係合するべく垂直片３５の上端から表面側に延設される上部押さえ片３６とを有し、金属や合成樹脂などある程度弾性変形可能な材料から一体に成形される。前側水平部３２と支持部３３との境には、この係止金具３０を床（床板４、床下地材５）に固定するためのビス６を通すビス孔３７が設けられる。下部押さえ片３１および上部押さえ片３６の各先端は鈎折り形状とされている。
【００２４】
このような形状を有する係止金具３０において、下部押さえ片３１は下部幅木材２０の係止突起２４を床側に押さえつけ、上部押さえ片３６は垂直片３５、支持片３３および前後の水平部３２，３４と共働して下部幅木材２０の後方突起２３を床側に押さえつけて、下部幅木材２０を床に対して固定する。
【００２５】
フィルター４０は、下部幅木材２０の切り欠き垂直面２５（および必要に応じて後方突起２３の上面２９）に両面テープや接着剤などにより固定され、その上端は、下部幅木材２０を床板４に固定したときに床面４ａからの高さが後述のＨと略等しくなる位置にあり、したがって内壁材１の下端面１ｂに略密接している。フィルター４０の断面大きさは、たとえば、厚さ５ｍｍ、高さ１７ｍｍである。フィルター４０は、下部幅木材２０の上面および／または上部幅木材１０の下面１４に設けられても良い。これにより、施工後に隙間Ｓの内部または隙間Ｓに面してフィルター４０が設けられることとなる。フィルター４０は、エアコンディショナーの室内機に使用されるフィルターと略同じものを用いることができ、織布、不織布、紙、多孔性軟質合成樹脂などで通気抵抗が小さく且つスポンジ程度の形状保持性を備えた材料で形成されたものであることが好ましい。
【００２６】
以上に説明した幅木構造の施工について説明する。なお、図２に示すように、根太などの床下地材５上に床板４が敷設されるとともに外壁下地材７が立設されており、床板４の壁側木口面と外壁下地材７との間にはスペーサ８が介在している。また、内壁材１の裏側（外壁下地材７との間）には通気空間９が確保されている。さらに、内壁材１の下端面１ｂは、床面４ａとの間に所定の高さＨ（下部幅木材２０の高さより若干大きい寸法、たとえば下部幅木材２０の高さが２５ｍｍである場合においてＨ＝３０ｍｍ）の隙間が形成されるように施工される。
【００２７】
まず、図３に示すように、複数の係止金具３０，３０・・・を床４に置き、その垂直片３５が床板４の壁側木口面と略面一となるようにして、適宜の間隔（Ｄ）をおいて、釘や木ネジ等の固着具６により床板４および床下地材５に固定する。固着具６は、前側水平部３２と支持部３３との境に形成したビス孔３７に通す。図２に示すように、スペーサ８の厚さを床板４よりも若干厚いものとしておくと、床面４ａ上に露出されているスペーサ８の室内側の面に係止金具３０の垂直片３５を押し当てることができ、係止金具３０の位置決めが容易となる。
【００２８】
次に、上記のようにして床板４に固定された係止金具３０に、下部幅木材２０を嵌め込んで固定する。すなわち、係止金具３０の上部押さえ片３６，垂直片３５，前後の水平部３２，３４および支持部３３に囲まれた前方開口空間に向けて下部幅木材２０の後方突起２３を挿入し、且つ、係止金具３０の下部押さえ片３１と床面４ａとに挟まれた断面略三角形状の空間に下部幅木材２０の係止突起２４を挿入することにより、下部幅木材２０を係止金具３０にセットする。このとき、下部幅木材２０の切り欠き垂直面２５は内壁材１の表面１ａと略面一となり、この切り欠き垂直面２５にあらかじめ固定されているフィルター４０の上端は内壁材１の下端面１ｂに略密接し、上部幅木材１０と下部幅木材２０との間の隙間Ｓを覆う。また、係止突起２４の下面は床面４ａに当接する。
【００２９】
次に、内壁材１の下部表面および上部幅木材１０の背面にそれぞれ接着剤を塗布した後、上部幅木材１０の下面１４を内壁材１の下端面１ｂに合わせた高さ位置において上部幅木材１０を内壁材１の表面１ａに接着する。あるいは、前述のように、あらかじめ内壁材１の所定高さ位置に釘３を打ち込んでおき、この釘３を上部幅木材１０背面側の凹部１３に引っかけることにより、上部幅木材１０を所定の高さ位置に位置決めしつつ内壁材表面１ａに接着するようにしても良い。さらに、上部幅木材１０の溝１２にフィニッシュネイルなどの固定具２を打ち込んで、上部幅木材１０を確実に固定する。
【００３０】
上部幅木材１０が所定位置に固定された状態において、上部幅木材１０と下部幅木材２０との間には高さ間隔ｂ２＝５ｍｍ程度の隙間Ｓが形成され、室内空間と通気空間９との間の通気を確保している。この隙間Ｓは、床面４ａから十分に離れた高さ位置にあるので、床面４ａからのごみやほこりが隙間Ｓに溜まって通気を阻害することがない。さらに、この隙間Ｓにはフィルター４０が設けられるので、異物が室内側から隙間に入り込んだ場合であっても、この異物が壁の内側の通気空間９に侵入して堆積することがなく、長期に亘って良好な通気が確保される。万一フィルター４０が目詰まりなどを起こした場合は、下部幅木材２０を係止金具３０から取り外してフィルター４０を掃除または交換して、再度係止金具３０にセットすれば良く、メンテナンスも容易である。また、上部幅木材１０の表面側下端には下向きの突起１５が形成されていることから、隙間Ｓの室内側には斜め下向きの通気路Ｔが形成されることになり、通気を確保しつつ、隙間Ｓが室内側に露見されることを防止して意匠性を高めている。
【００３１】
以上に本発明の実施形態について添付図面に基づいて詳述したが、本発明はこれらの実施形態に限定されるものではなく、特許請求の範囲に記載された範囲内において種々の変形態様を取り得ることは言うまでもない。
【図面の簡単な説明】
【００３２】
【図１】本発明の一実施形態による幅木構造を示す断面図である。
【図２】この幅木構造の施工図である。
【図３】この幅木構造における係止金具の取付状態を示す斜視図である。
【符号の説明】
【００３３】
１  内壁材
２  フィニッシュネイル（固定具）
３  釘
４  床板
５  床下地材
６  ビス
７  外壁下地材
８  スペーサ
９  通気空間
１０  上部幅木材
１１  化粧シート
１２  溝
１３  凹部
１４  下面
１５  突起
２０  下部幅木材
２１  化粧シート
２２  加飾曲面部
２３  後方突起
２４  係止突起
２５  切り欠き垂直面
２６  背面側垂直面
２７  下面
２８  背面側傾斜面
２９  上面
３０  係止金具
３１  下部押さえ片
３２  前側水平部
３３  支持部
３４  後側水平部
３５  垂直片
３６  上部押さえ片
３７  ビス孔
４０  フィルター
Ｓ  上部幅木材と下部幅木材との隙間
Ｔ  斜め下向きの通気路
【図１】
2007270444.tif 000003
【図２】
2007270444.tif 000004
【図３】
2007270444.tif 000005